(57)【要約】【課題】光学的記録・読書き装置とそれが実行する無線周波信号の品質検査測定方法において、無線周波信号の信号品質を確実に反映することができるパラメータを用い、無線周波信号の信号品質を確実に検査測定し、光ディスクの書き込み品質不良を防止する。【解決手段】光学的記録・読書き装置は、光学的読書きヘッド４０と、無線周波増幅器４１と、デコーダ４２とを備えており、光学的読書きヘッド４０が光学的記録媒体上の第一及び第二領域に記録されているデータを読み取り、無線周波増幅器４１が第一及び第二無線周波信号に変換する。デコーダ４２は、各無線周波信号についてそれぞれビタビ復号プログラムを実施する段階と、それぞれ生成された第一及び第二パスメトリック加算速度を検出並びに記録する段階と、各パスメトリック加算速度が小さい方の数値に基づき各無線周波信号のうち品質がより良好な信号を選択する段階とを備えている。【選択図】図５
2006196136.tif 000002
【特許請求の範囲】
【請求項１】
光学的記録・読書き装置と光学的記録媒体との間に応用され、この光学的記録・読書き装置が、前記光学的記録媒体上の第一領域及び第二領域に記録されているデータを読み取るとともに、このデータを前記第一領域及び第二領域に対応する第一無線周波信号及び第二無線周波信号に変換するときに実行される無線周波信号の品質検査測定方法であって、
前記第一無線周波信号及び第二無線周波信号を受信するとともにそれぞれビタビ復号を行うプログラムを実施する段階と、
このビタビ復号を行う過程において、前記第一無線周波信号及び第二無線周波信号に対応してそれぞれ生成された第一パスメトリック加算速度及び第二パスメトリック加算速度を検出並びに記録する段階と、
この第一パスメトリック加算速度及び第二パスメトリック加算速度のうち相対的に小さい方の数値に基づいて、前記第一無線周波信号及び第二無線周波信号のうち品質がより良好な信号を選択する段階と、を備えていることを特徴とする無線周波信号の品質検査測定方法。
【請求項２】
前記光学的記録・読書き装置及び光学的記録媒体はそれぞれＤＶＤレコーダ及びＤＶＤディスクであることを特徴とする請求項１記載の無線周波信号の品質検査測定方法。
【請求項３】
前記第一領域及び第二領域は前記光学的記録媒体の測定試験領域に位置しており、この測定試験領域は、前記光学的記録・読書き装置が異なる書き込み出力で前記第一領域及び第二領域において書き込みテストを実施するために使用されることを特徴とする請求項１記載の無線周波信号の品質検査測定方法。
【請求項４】
前記第一パスメトリック加算速度及び第二パスメトリック加算速度を検出する段階は、前記第一無線周波信号の正確なパスメトリック加算値を検出する段階と、
前記第二無線周波信号の正確なパスメトリック加算値を検出する段階と、を備えていることを特徴とする請求項１記載の無線周波信号の品質検査測定方法。
【請求項５】
前記第一パスメトリック加算速度及び第二パスメトリック加算速度を検出する段階は、前記第一無線周波信号の最大パスメトリック加算値を検出する段階と、
前記第二無線周波信号の最大パスメトリック加算値を検出する段階と、を備えていることを特徴とする請求項１記載の無線周波信号の品質検査測定方法。
【請求項６】
前記第一パスメトリック加算速度及び第二パスメトリック加算速度を検出する段階は、前記第一無線周波信号におけるパスメトリックのオーバーフローフラグ（Ｐａｔｈ  Ｍｅｔｒｉｃ  Ｏｖｅｒｆｌｏｗ  Ｆｌａｇ）が所定時間内にセットされる回数を観察して、前記第一パスメトリック加算速度を代表させる段階と、
前記第二無線周波信号におけるパスメトリックのオーバーフローフラグが前記所定時間内にセットされる回数を観察して、前記第二パスメトリック加算速度を代表させる段階と、を備えていることを特徴とする請求項１記載の無線周波信号の品質検査測定方法。
【請求項７】
無線周波信号のうちで品質がより良好な信号に対して、より良好な書き込み出力を対応させる段階をさらに備えていることを特徴とする請求項１記載の無線周波信号の品質検査測定方法。
【請求項８】
光学的記録媒体上に記録されているデータを読み取る光学的記録・読書き装置であり、
前記光学的記録媒体上の第一領域及び第二領域に記録されているデータを読み取るとともに光電変換を実施する光学的読書きヘッドと、
この光学的読書きヘッドと電気的に接続されており、この光学的読書きヘッドが出力した信号を受信して前記第一領域及び第二領域に対応した第一無線周波信号及び第二無線周波信号を生成する無線周波増幅器と、
前記無線周波増幅器と電気的に接続されており、前記第一無線周波信号及び前記第二無線周波信号を受信するとともにそれぞれビタビ復号を行うプログラムを実施し、併せて当該ビタビ復号を行う過程において当該第一無線周波信号及び第二無線周波信号に対応してそれぞれ生成された第一パスメトリック加算速度及び第二パスメトリック加算速度を検出並びに記録し、その後、当該第一パスメトリック加算速度及び当該第二パスメトリック加算速度のうち相対的に小さい方の数値に基づき前記第一無線周波信号及び第二無線周波信号のうちで品質がより良好な信号を選択するデコーダと、を備えていることを特徴とする光学的記録・読書き装置。
【請求項９】
前記光学的記録媒体はＤＶＤディスクであることを特徴とする請求項８記載の光学的記録・読書き装置。
【請求項１０】
前記第一領域及び第二領域は前記光学的記録媒体の測定試験領域に位置しており、この測定試験領域は、前記光学的記録・読書き装置が異なる書き込み出力で前記第一領域及び第二領域において書き込みテストを実施するために使用されることを特徴とする請求項８記載の光学的記録・読書き装置。
【請求項１１】
前記デコーダはパスメトリックのオーバーフローフラグをさらに有しており、前記デコーダは、前記第一無線周波信号におけるパスメトリックのオーバーフローフラグが所定時間内にセットされる回数を観察して前記第一パスメトリック加算速度を代表させ、前記第二無線周波信号におけるパスメトリックのオーバーフローフラグが前記所定時間内にセットされる回数を観察して当該第二パスメトリック加算速度を代表させ、最後に、無線周波信号のうちで品質がより良好な信号に対してより良好な書き込み出力を対応させることを特徴とする請求項８記載の光学的記録・読書き装置。
【請求項１２】
光学的記録・読書き装置と光学的記録媒体との間に応用され、この光学的記録・読書き装置は、この光学的記録媒体上の複数の領域に記録されているデータを読み取るとともに、この複数の領域に対応する複数の無線周波信号に変換するときに実行される無線周波信号の品質検査測定方法であり、
前記複数の無線周波信号を受信するとともにそれぞれビタビ復号を行うプログラムを実施する段階と、
前記複数の無線周波信号のビタビ復号を行う過程において、前記複数の無線周波信号に対応して生成された複数のパスメトリック加算速度を検出並びに記録する段階と、
前記複数のパスメトリック加算速度のうち相対的に小さい方の数値に基づいて、前記複数の無線周波信号のうち品質がより良好な信号を選択する段階と、を備えていることを特徴とする無線周波信号の品質検査測定方法。
【発明の詳細な説明】
【技術分野】
【０００１】
本発明は光学的記録・読書き装置とそれが実行する無線周波信号の品質検査測定方法に関するものであり、特にディスクレコーダ及びそれが実行する無線周波信号の品質検査測定方法に関するものである。
【背景技術】
【０００２】
図１は、光ディスクドライブ内における光学的読み書きヘッド１の構造を示しており、半導体レーザモジュール１１がレーザ光を発射すると、このレーザ光がレンズ１４及び対物レンズ１５を介して屈折した後に光ディスク２上に照射され、併せて光ディスク２を介して反射されて、この反射したレーザー光は、光学的読書きヘッド１に戻って光センサ１２により受光される。この光ディスクドライブが光ディスク２に対して書き込みを実施する際には、半導体レーザモジュール１１が特定出力範囲のレーザ光を発射して光ディスク２の記録材料上に記号を書き込む。つまり、書き込みを行うレーザ光の出力は領域が制限されているため、この書き込み出力が過度に高いか、又は過度に低いと、容易に書き込み品質不良が引き起こされ、場合によっては書き込み動作が失敗する。例えば、特許文献１に示されるように、異なる光ディスク２の特性の変化に対応するために、従来の光ディスクドライブではすべて最適出力制御（Ｏｐｔｉｍｕｍ  Ｐｏｗｅｒ  Ｃｏｎｔｒｏｌ、略称ＯＰＣ）プログラムを実施して書き込み出力の測定試験を実施することにより、最適なレーザ光による書き込み出力に対応する入力電力を得なければならない。
【０００３】
図２は、従来の一般的な最適出力制御手順を示す。この最適出力制御手順では、光ディスクドライブが書き込み動作を実施する前に、書き込み対象の光ディスクに対して書き込みテストを実施するものである。この書き込みテストにおいては、異なる入力電力により半導体レーザモジュール１１が光ディスク上の測定試験領域において書き込みテストを実施し、その後、改めてこの測定試験領域に対して読み取りが実施された後、改めて読み取り結果が比較され、当該書き込み対象である光ディスクに対する最適なレーザ書き込み出力に対応した入力電力が選択並びに決定される。この入力電力が、光ディスクドライブが当該光ディスク２に書き込む際に半導体レーザモジュール１１に提供される、最適なレーザ書き込み出力の入力電力とされる。
【０００４】
現在、光ディスクドライブが最適出力制御（ＯＰＣ）を使用する過程において、多くの場合には光学的読み書きヘッド１が生成する無線周波信号（ＲＦ）を利用して最適書き込み出力が決定される。図３は、無線周波信号（ＲＦ）のβパラメータの定義図を示す。基本的に無線周波信号（ＲＦ）は交流電圧信号であり、β＝│（Ａ１−Ａ２）／（Ａ１＋Ａ２）│であるため、βパラメータは当該無線周波信号（ＲＦ）の基準電圧に対する対称性を示している。そして、光ディスク上に最適βパラメータが搭載されることにより、この最適βパラメータが光ディスクドライブに参考として提供される。当該書き込みテストの際には異なる入力電力により半導体レーザモジュール１１が光ディスク上の測定試験領域において書き込みテストを実施し、その後、当該測定試験領域に対して読取りが実施された後に無線周波信号（ＲＦ）が得られる。そして、異なる入力電力によるレーザ書き込み出力が生成する異なる無線周波信号（ＲＦ）に対応するβパラメータと、最適なβパラメータとが比較されることで、最適レーザ書き込み出力に対応する入力電力が選択される。
【特許文献１】特開２００２−３１９１３５号公報
【発明の開示】
【発明が解決しようとする課題】
【０００５】
しかし、上記の通り、βパラメータは無線周波信号（ＲＦ）の対称性を示しているに過ぎず、無線周波信号（ＲＦ）の信号の品質を完全に代表することはできない。本発明は上記問題点を鑑みてなされたものであり、無線周波信号（ＲＦ）の信号品質を確実に反映することができるパラメータを探し出し、無線周波信号（ＲＦ）の信号品質を確実に検査測定可能な無線周波信号の品質検査測定方法と、このパラメータを参考として最適出力制御を行うことで、光ディスクに対する書き込みの書き込み品質不良を防止できる光学的記録・読書き装置とを提供することを目的とする。
【課題を解決するための手段】
【０００６】
上記目的を達成するため請求項１の発明は、光学的記録・読書き装置と光学的記録媒体との間に応用され、この光学的記録・読書き装置が、前記光学的記録媒体上の第一領域及び第二領域に記録されているデータを読み取るとともに、このデータを前記第一領域及び第二領域に対応する第一無線周波信号及び第二無線周波信号に変換するときに実行される無線周波信号の品質検査測定方法であって、前記第一無線周波信号及び第二無線周波信号を受信するとともにそれぞれビタビ復号を行うプログラムを実施する段階と、このビタビ復号を行う過程において、前記第一無線周波信号及び第二無線周波信号に対応してそれぞれ生成された第一パスメトリック加算速度及び第二パスメトリック加算速度を検出並びに記録する段階と、この第一パスメトリック加算速度及び第二パスメトリック加算速度のうち相対的に小さい方の数値に基づいて、前記第一無線周波信号及び第二無線周波信号のうち品質がより良好な信号を選択する段階と、を備えているものである。
【０００７】
請求項２の発明は、請求項１の発明において、前記光学的記録・読書き装置及び光学的記録媒体はそれぞれＤＶＤレコーダ及びＤＶＤディスクであるものである。
【０００８】
請求項３の発明は、請求項１の発明において、前記第一領域及び第二領域は前記光学的記録媒体の測定試験領域に位置しており、この測定試験領域は、前記光学的記録・読書き装置が異なる書き込み出力で前記第一領域及び第二領域において書き込みテストを実施するために使用されるものである。
【０００９】
請求項４の発明は、請求項１の発明において、前記第一パスメトリック加算速度及び第二パスメトリック加算速度を検出する段階は、前記第一無線周波信号の正確なパスメトリック加算値を検出する段階と、前記第二無線周波信号の正確なパスメトリック加算値を検出する段階と、を備えているものである。
【００１０】
請求項５の発明は、請求項１の発明において、前記第一パスメトリック加算速度及び第二パスメトリック加算速度を検出する段階は、前記第一無線周波信号の最大パスメトリック加算値を検出する段階と、前記第二無線周波信号の最大パスメトリック加算値を検出する段階と、を備えているものである。
【００１１】
請求項６の発明は、請求項１の発明において、前記第一パスメトリック加算速度及び第二パスメトリック加算速度を検出する段階は、前記第一無線周波信号におけるパスメトリックのオーバーフローフラグ（Ｐａｔｈ  Ｍｅｔｒｉｃ  Ｏｖｅｒｆｌｏｗ  Ｆｌａｇ）が所定時間内にセットされる回数を観察して、前記第一パスメトリック加算速度を代表させる段階と、前記第二無線周波信号におけるパスメトリックのオーバーフローフラグが前記所定時間内にセットされる回数を観察して、前記第二パスメトリック加算速度を代表させる段階と、を備えているものである。
【００１２】
請求項７の発明は、請求項１の発明において、無線周波信号のうちで品質がより良好な信号に対して、より良好な書き込み出力を対応させる段階をさらに備えているものである。
【００１３】
請求項８の発明は、光学的記録媒体上に記録されているデータを読み取る光学的記録・読書き装置であり、前記光学的記録媒体上の第一領域及び第二領域に記録されているデータを読み取るとともに光電変換を実施する光学的読書きヘッドと、この光学的読書きヘッドと電気的に接続されており、この光学的読書きヘッドが出力した信号を受信して前記第一領域及び第二領域に対応した第一無線周波信号及び第二無線周波信号を生成する無線周波増幅器と、前記無線周波増幅器と電気的に接続されており、前記第一無線周波信号及び前記第二無線周波信号を受信するとともにそれぞれビタビ復号を行うプログラムを実施し、併せて当該ビタビ復号を行う過程において当該第一無線周波信号及び第二無線周波信号に対応してそれぞれ生成された第一パスメトリック加算速度及び第二パスメトリック加算速度を検出並びに記録し、その後、当該第一パスメトリック加算速度及び当該第二パスメトリック加算速度のうち相対的に小さい方の数値に基づき前記第一無線周波信号及び第二無線周波信号のうちで品質がより良好な信号を選択するデコーダと、を備えているものである。
【００１４】
請求項９の発明は、請求項８の発明において、前記光学的記録媒体はＤＶＤディスクであることを特徴とするものである。
【００１５】
請求項１０の発明は、請求項８の発明において、前記第一領域及び第二領域は前記光学的記録媒体の測定試験領域に位置しており、この測定試験領域は、前記光学的記録・読書き装置が異なる書き込み出力で前記第一領域及び第二領域において書き込みテストを実施するために使用されるものである。
【００１６】
請求項１１の発明は、請求項８の発明において、前記デコーダはパスメトリックのオーバーフローフラグをさらに有しており、前記デコーダは、前記第一無線周波信号におけるパスメトリックのオーバーフローフラグが所定時間内にセットされる回数を観察して前記第一パスメトリック加算速度を代表させ、前記第二無線周波信号におけるパスメトリックのオーバーフローフラグが前記所定時間内にセットされる回数を観察して当該第二パスメトリック加算速度を代表させ、最後に、無線周波信号のうちで品質がより良好な信号に対してより良好な書き込み出力を対応させることを特徴とするものである。
【００１７】
請求項１２の発明は、光学的記録・読書き装置と光学的記録媒体との間に応用され、この光学的記録・読書き装置は、この光学的記録媒体上の複数の領域に記録されているデータを読み取るとともに、この複数の領域に対応する複数の無線周波信号に変換するときに実行される無線周波信号の品質検査測定方法であり、前記複数の無線周波信号を受信するとともにそれぞれビタビ復号を行うプログラムを実施する段階と、前記複数の無線周波信号のビタビ復号を行う過程において、前記複数の無線周波信号に対応して生成された複数のパスメトリック加算速度を検出並びに記録する段階と、前記複数のパスメトリック加算速度のうち相対的に小さい方の数値に基づいて、前記複数の無線周波信号のうち品質がより良好な信号を選択する段階と、を備えているものである。
【発明の効果】
【００１８】
請求項１の発明によれば、第一無線周波信号及び第二無線周波信号のうち、それぞれから生成されたパスメトリック加算速度が小さい方の数値に基づいて、無線周波信号を選択するので、選択基準が無線周波信号（ＲＦ）の信号の品質を代表するパラメータとなり、無線周波信号（ＲＦ）の信号の品質を確実に検査測定した上で、品質が良好な無線周波信号を選択できる。
【００１９】
請求項２の発明によれば、ＤＶＤレコーダーが、ＤＶＤディスクを読み取るとき、第一無線周波信号及び第二無線周波信号のうち、それぞれから生成されたパスメトリック加算速度が小さい方の数値に基づいて無線周波信号を選択するので、選択基準が無線周波信号（ＲＦ）の信号の品質を代表するパラメータとなり、ＤＶＤディスクから読み取った無線周波信号（ＲＦ）の信号の品質を確実に検査測定した上で、品質が良好な無線周波信号を選択できる。
【００２０】
請求項３の発明によれば、第一領域及び第二領域が、光学的記録媒体の書き込みテストを実施するために使用される測定試験領域に位置するので、書き込みテストによる記録を読み取った無線周波信号（ＲＦ）の信号の品質を確実に検査測定することができる。
【００２１】
請求項４の発明によれば、第一無線周波信号及び第二無線周波信号について、それぞれ正確なパスメトリック加算値を検出するので、ハードウェアを複雑な構成とすることなく、無線周波信号の品質を確実に検査測定することができる。
【００２２】
請求項５の発明によれば、第一無線周波信号及び第二無線周波信号について、それぞれ最大パスメトリック加算値を検出するので、ハードウェアを複雑な構成とすることなく、無線周波信号の品質を確実に検査測定することができる。
【００２３】
請求項６の発明によれば、第一無線周波信号及び第二無線周波信号について、それぞれパスメトリックのオーバーフローフラグのセット回数を、それぞれのパスメトリック加算速度として代表させるので、ハードウェアを複雑な構成とすることなく、無線周波信号の品質を確実に検査測定することができる。
【００２４】
請求項７の発明によれば、無線周波信号のうちで品質がより良好な信号に対して、より良好な書き込み出力を対応させるので、書き込みを行うときに、光学的記録媒体に応じた書き込み出力で書き込むことが可能となり、書き込み品質不良を防止することが可能となる。
【００２５】
請求項８の発明によれば、第一無線周波信号及び第二無線周波信号のうち、それぞれから生成されたパスメトリック加算速度が小さい方の数値に基づいて、無線周波信号を選択するので、選択基準が無線周波信号（ＲＦ）の信号の品質を代表するパラメータとなり、無線周波信号（ＲＦ）の信号の品質を確実に検査測定した上で、品質が良好な無線周波信号を選択できる。
【００２６】
請求項９の発明によれば、ＤＶＤディスクを読み取るとき、第一無線周波信号及び第二無線周波信号のうち、それぞれから生成されたパスメトリック加算速度が小さい方の数値に基づいて無線周波信号を選択するので、選択基準が無線周波信号（ＲＦ）の信号の品質を代表するパラメータとなり、ＤＶＤディスクから読み取った無線周波信号（ＲＦ）の信号の品質を確実に検査測定した上で、品質が良好な無線周波信号を選択できる。
【００２７】
請求項１０の発明によれば、第一領域及び第二領域が、光学的記録媒体の書き込みテストを実施するために使用される測定試験領域に位置するので、書き込みテストによる記録を読み取った無線周波信号（ＲＦ）の信号の品質を確実に検査測定することができる。
【００２８】
請求項１１の発明によれば、第一無線周波信号及び第二無線周波信号について、それぞれパスメトリックのオーバーフローフラグのセット回数を、それぞれのパスメトリック加算速度として代表させるので、ハードウェアの構成を複雑にすることなく、無線周波信号（ＲＦ）の信号の品質を確実に検査測定でき、また、この品質がより良好な無線周波信号に対して、より良好な書き込み出力を対応させるので、光学的記録媒体に応じた書き込み出力で書き込むことが可能となり、書き込み品質不良を防止することが可能となる。
【００２９】
請求項１２の発明によれば、複数の無線周波信号のうち、それぞれから生成されたパスメトリック加算速度が小さい方の数値に基づいて、無線周波信号を選択するので、選択基準が無線周波信号（ＲＦ）の信号の品質を代表するパラメータとなり、無線周波信号（ＲＦ）の信号の品質を確実に検査測定した上で、品質が良好な無線周波信号を選択できる。
【発明を実施するための最良の形態】
【００３０】
以下、本発明の実施の形態について図面を参照して説明する。図４は、本発明の実施形態に係る光ディスクドライブ（光学的記録・読書き装置）の機能ブロック図を示す。この光ディスクドライブ内の光学的読書きヘッド４０は、書き込み対象の光ディスク（光学的記録媒体）内における、書き込みテストが完了している測定試験領域（図内には未表示）に対して光電変換を実施し、改めて無線周波増幅器４１の作用を介した後に無線周波信号（ＲＦ）を生成した上で、この無線周波信号を後続のデコーダ４２に送出して復号化を実施する。本発明におけるデコーダ４２はＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を利用して復号化を実施するビタビデコーダ（Ｖｉｔｅｒｂｉ  ｄｅｃｏｄｅｒ）であり、入力された無線周波信号（ＲＦ）は枝メトリック計算回路（Ｂｒａｎｃｈ  Ｍｅｔｒｉｃ  Ｃａｌｃｕｌａｔｉｎｇ  Ｃｉｒｃｕｉｔ）４２０に送出されて枝メトリック（Ｂｒａｎｃｈ  Ｍｅｔｒｉｃ）の計算が実施される。その後、算出された複数の枝メトリック値は加算‐比較‐選択ユニット４２１（Ａｄｄｅｒ‐Ｃｏｍｐａｒａｔｏｒ‐Ｓｅｌｅｃｔｏｒ  Ｕｎｉｔ）に出力され、それぞれ加算演算が実施されてパスメトリック（Ｐａｔｈ  Ｍｅｔｒｉｃ）の加算値が得られ、このパスメトリック（Ｐａｔｈ  Ｍｅｔｒｉｃ）加算値はパスメトリック記憶ユニット（Ｐａｔｈ  Ｍｅｔｒｉｃ  Ｍｅｍｏｒｙ  Ｕｎｉｔ）４２２に記憶される。パス記憶ユニット（Ｐａｔｈ  Ｍｅｍｏｒｙ）４２３には当該時点及び過去幾つかの時点における読取り信号の状態変化可能なパスが記憶されている。最終的に、加算‐比較‐選択ユニット４２１（Ａｄｄｅｒ‐Ｃｏｍｐａｒａｔｏｒ‐Ｓｅｌｅｃｔｏｒ  Ｕｎｉｔ）より、パスメトリック記憶ユニット４２２内に記憶されている最小の枝メトリック加算値に基づいてパス選択信号を出力することで、パス記憶ユニット（Ｐａｔｈ  Ｍｅｍｏｒｙ）４２３に正確な状態変化のパスを決定させて、正確な二準位のデジタルデータに還元する。
【００３１】
パスメトリック記憶ユニット（Ｐａｔｈ  Ｍｅｔｒｉｃ  Ｍｅｍｏｒｙ  Ｕｎｉｔ）４２２の記憶値も加算‐比較‐選択ユニット４２１にフィードバックされて次の加算演算が実施されるが、加算値が不断に増加してパスメトリック記憶ユニット（Ｐａｔｈ  Ｍｅｔｒｉｃ  Ｍｅｍｏｒｙ  Ｕｎｉｔ）４２２にオーバーフロー（ｏｖｅｒｆｌｏｗ）現象が発生することを回避するため、加算‐比較‐選択ユニット４２１内では正規化動作（Ｎｏｒｍａｌｉｚｅ）が実施され、最大のパスメトリック加算値（Ｍａｘｉｍｕｍ  Ｐａｔｈ  Ｍｅｔｒｉｃ  Ｖａｌｕｅ）が閾値を超過した際には、すべての加算値に対して下向きに平行移動する正規化動作が同時に実施され、一定の固定値が差し引かれることにより加算値が過大になることが回避される。
【００３２】
上記技術手段においては、パスメトリック加算値が過大になることを回避するため、加算‐比較‐選択ユニット４２１内で実施される正規化動作（Ｎｏｒｍａｌｉｚｅ）が観察される。そのため雑音が存在しない理想的な状態下において、正確なパスメトリック加算値（Ｃｏｒｒｅｃｔ  Ｐａｔｈ  Ｍｅｔｒｉｃ  Ｖａｌｕｅ）は０となり、最大のパスメトリック加算値（Ｍａｘｉｍｕｍ  Ｐａｔｈ  Ｍｅｔｒｉｃ  Ｖａｌｕｅ）は固定状態が維持される。また雑音が存在する一般的な状態下において、正確なパスメトリック加算値（Ｃｏｒｒｅｃｔ  Ｐａｔｈ  Ｍｅｔｒｉｃ  Ｖａｌｕｅ）は継続的に増加し、最大のパスメトリック加算値（Ｍａｘｉｍｕｍ  Ｐａｔｈ  Ｍｅｔｒｉｃ  Ｖａｌｕｅ）も継続的に増加するため、両者ともに雑音の強度が増加することに伴いその加算速度が上昇する。そこで、正確なパスメトリック加算値（Ｃｏｒｒｅｃｔ  Ｐａｔｈ  Ｍｅｔｒｉｃ  Ｖａｌｕｅ）または最大のパスメトリック加算値（Ｍａｘｉｍｕｍ  Ｐａｔｈ  Ｍｅｔｒｉｃ  Ｖａｌｕｅ）の加算速度を検出することにより無線周波信号の品質を判断する。
【００３３】
本実施形態においては、書き込み対象のディスク内の、それぞれ異なる書き込み出力により記録されて構成される測定試験領域（図内には未表示）から、読み出された無線周波信号を復号するとともに、正確なパスメトリック加算値（Ｃｏｒｒｅｃｔ  Ｐａｔｈ  Ｍｅｔｒｉｃ  Ｖａｌｕｅ）または最大のパスメトリック加算値（Ｍａｘｉｍｕｍ  Ｐａｔｈ  Ｍｅｔｒｉｃ  Ｖａｌｕｅ）の加算速度を観察し、このパスメトリック加算速度を利用して、読み出された無線周波信号のうち、どの無線周波信号の品質が最適であるのかを区分することにより、最適な書き込み出力を決定する。
【００３４】
図５は、本実施形態に係る光ディスクドライブ（光学的記録・読書き装置）が実行する無線周波信号の品質検査測定方法の手順を示す。この無線周波信号の品質検査測定方法は、ＤＶＤディスクレコーダなどの各種光学的記録・読書き装置とＤＶＤディスクなど各種光学的記録媒体との間に応用されるものである。この光学的記録・読書き装置は、光学的記録媒体に対してデータの書き込みを実施する前に、最適出力制御（Ｏｐｔｉｍｕｍ  Ｐｏｗｅｒ  Ｃｏｎｔｒｏｌ、略称ＯＰＣ）プログラムを実行する。光学的記録媒体の測定試験領域内においては異なる書き込み出力により異なる領域上にデータが記録され、その後、改めてそのデータの読取りが実施されて、異なる書き込み出力に対応する複数の無線周波信号が生成される。説明を簡便にするため、以下において２種類の書き込み出力を行った場合を例に挙げて説明する。
【００３５】
本実施形態の光学的記録媒体の測定試験領域には第一領域及び第二領域が含まれ、当該第一領域及び当該第二領域にはそれぞれ第一書き込み出力及び第二書き込み出力によりその上にデータが書き込まれる（Ｓ１）。その後、光学的記録・読書き装置がこの第一領域及び第二領域上に記録されているデータを読取るとともに、第一無線周波信号及び第二無線周波信号に変換して送出し（Ｓ２）、後続のビタビデコーダ４２がこれら第一無線周波信号及び第二無線周波信号を受信してそれぞれビタビ復号化を行うプログラムを実施する（Ｓ３）。このビタビ復号を行う過程においては、これら第一無線周波信号及び第二無線周波信号に対応してそれぞれ生成される第一パスメトリック加算速度及び第二パスメトリック加算速度を検出並びに記録（Ｓ４，Ｓ５）し、その後、当該第一パスメトリック加算速度及び当該第二パスメトリック加算速度のうち相対的に小さい方の数値に基づいて、当該第一無線周波信号及び第二無線周波信号のうち品質がより良好な信号が選択される（Ｓ６）。例えば、第一パスメトリック加算速度が第二パスメトリック加算速度を下回っているとき、第一無線周波信号の品質が第二無線周波信号の品質より良好であることが示されており、第一書き込み出力により当該光学的記録媒体に対して書き込みを実施すれば、相対的に良好な効果を得ることができる。
【００３６】
正確なパスメトリック加算値（Ｃｏｒｒｅｃｔ  Ｐａｔｈ  Ｍｅｔｒｉｃ  Ｖａｌｕｅ）及び最大のパスメトリック加算値（Ｍａｘｉｍｕｍ  Ｐａｔｈ  Ｍｅｔｒｉｃ  Ｖａｌｕｅ）はともに雑音の強度が増加することに伴いその加算速度が上昇するため、本実施形態においては、正確なパスメトリック加算値（Ｃｏｒｒｅｃｔ  Ｐａｔｈ  Ｍｅｔｒｉｃ  Ｖａｌｕｅ）または最大のパスメトリック加算値（Ｍａｘｉｍｕｍ  Ｐａｔｈ  Ｍｅｔｒｉｃ  Ｖａｌｕｅ）の加算速度を検出することで、ハードウェアを複雑な構成とすることなく無線周波信号の品質を判断することを達成している。
【００３７】
本実施形態においては、パスメトリック記憶ユニット（Ｐａｔｈ  Ｍｅｔｒｉｃ  Ｍｅｍｏｒｙ  Ｕｎｉｔ）４２２がオーバーフロー（ｏｖｅｒｆｌｏｗ）を発生した際に正規化動作（Ｎｏｒｍａｌｉｚｅ）を実施するために、パスメトリックのオーバーフローフラグ（Ｐａｔｈ  Ｍｅｔｒｉｃ  Ｏｖｅｒｆｌｏｗ  Ｆｌａｇ）が増設されており、第一無線周波信号の復号化過程においてパスメトリックのオーバーフローフラグ（Ｐａｔｈ  Ｍｅｔｒｉｃ  Ｏｖｅｒｆｌｏｗ  Ｆｌａｇ）が所定時間内にセットされる回数を観察して第一パスメトリック加算速度を代表させるとともに、第二無線周波信号の復号化過程においてパスメトリックのオーバーフローフラグが所定時間内にセットされる回数を観察して第二パスメトリック加算速度を代表させることにより、これら第一無線周波信号と第二無線周波信号とのうちで品質がより良好な信号を探し出してより良好な書き込み出力をそれに対応させる。
【００３８】
上記の通りに無線周波信号の品質検査測定を行うことで、ハードウェアの構成を複雑にすることなく、無線周波信号（ＲＦ）の信号の品質を確実に検査測定でき、これを最適出力制御の参考として提供するので、光ディスクに対する書き込み品質不良を確実に防止することが可能となる。
【００３９】
なお、本発明は上記実施形態の構成等に限定するものではなく、発明の範囲を変更しない範囲で適宜に種々の変形が可能である。例えば、本発明は、光学的記録、読書き装置として、デジタル画像・音声光ディスクドライブ、録画機能を備えたデジタル映像・音声光ディスクなど、デジタル画像撮影システム上に広範に応用することが可能であり、光ディスクに対する書き込み品質不良を防止することが可能となる。
【図面の簡単な説明】
【００４０】
【図１】光ディスクドライブ内の光学的読書きヘッドの断面図。
【図２】従来の一般的な最適出力制御プログラムの流れ図。
【図３】無線周波信号（ＲＦ）のβパラメータの定義図。
【図４】本発明の実施形態に係る光ディスクドライブのブロック図。
【図５】同上の無線周波信号の品質検査測定方法のフローチャート。
【符号の説明】
【００４１】
１  光学的読書きヘッド
２  光ディスク
４０  光学的読書きヘッド
４１  無線周波増幅器
４２  デコーダ
【図１】
2006196136.tif 000003
【図２】
2006196136.tif 000004
【図３】
2006196136.tif 000005
【図４】
2006196136.tif 000006
【図５】
2006196136.tif 000007